(57)【特許請求の範囲】
【請求項１】
壁パネルをスラブコンクリート床に取り付けてなる建物への壁パネルの取付構造であって、
前記壁パネルの小口から前記壁パネルの面内方向に向かって設けられた長孔部に棒状部材が挿入され、
前記スラブコンクリート床に対して、鉛直面と水平面を具備するＬ形部を有するＬ形基礎部材が配設され、
前記棒状部材と前記Ｌ形基礎部材との間には、ライナーが設置される通し部材が配設されることを特徴とする壁パネルの取付構造。
【請求項２】
前記通し部材は鉛直面と水平面を有するＬ形部を有するＬ形通し部材であり、
前記Ｌ形基礎部材の鉛直面と前記Ｌ形通し部材の鉛直面とを固定することで高さを確定することを特徴とする請求項１に記載の壁パネルの取付構造。
【請求項３】
前記通し部材は平面形状の板状通し部材であり、
前記板状通し部材は、鉛直面と水平面を有するＬ形部を有する台座部材の水平面に固定され、
前記Ｌ形基礎部材の鉛直面と前記台座部材の鉛直面とを固定することで高さを確定することを特徴とする請求項１に記載の壁パネルの取付構造。
【請求項４】
前記棒状部材の前記壁パネルに挿入されていない側の端部は、前記ライナーを設置する部材の設置面に対して固定される平面形状部を有することを特徴とする請求項１乃至３のいずれかに記載の壁パネルの取付構造。
【請求項５】
建物への壁パネルの取付方法であって、
前記壁パネルの小口から前記壁パネルの面内方向に向かって設けられた長孔部に棒状部材を挿入する段階と、
Ｌ形部を有するＬ形基礎部材を、前記スラブコンクリート床の上部に固定する段階と、
Ｌ形部を有するＬ形通し部材を、前記Ｌ形基礎部材に固定する段階と、
前記Ｌ形通し部材に、ライナーを設置し前記棒状部材を載置する段階と、
を有することを特徴とする壁パネルの取付方法。
【請求項６】
建物への壁パネルの取付方法であって、
前記壁パネルの小口から前記壁パネルの面内方向に向かって設けられた長孔部に棒状部材を挿入する段階と、
Ｌ形部を有するＬ形基礎部材を、前記スラブコンクリート床の上部に固定する段階と、
Ｌ形部を有する台座部材を、前記Ｌ形基礎部材に固定する段階と、
平面形状部を有する板状通し部材を、前記台座部材に固定する段階と、
前記板状通し部材に、ライナーを設置し前記棒状部材を載置する段階と、
を有することを特徴とする壁パネルの取付方法。
【発明の詳細な説明】
【技術分野】
【０００１】
本技術は主にＲＣ造、ＳＲＣ造の建物の梁、柱、スラブ、壁等、躯体側のコンクリート部分への壁パネルの取付構造及び取付方法に関する。本発明はＰＣ板、ＡＬＣ板、押出成形板等、コンクリート系の壁パネルに好適に適用できる。
【背景技術】
【０００２】
スラブコンクリート床上部に例えばＡＬＣ壁パネルを取付ける一般的な例を図３の（ａ）、（ｂ）で説明する。図３は、従来例に係る壁パネルの下部と躯体との接続部を示す図であり、（ａ）が断面図で（ｂ）が内観図である。本例では、壁パネルとしてＡＬＣの壁パネルを用いた例を説明する。図３に示すようにスラブコンクリート床１８の上部にはコンクリートの立ち上がり部１９があり、同部には下地アングル２１を取付けるための埋込アングル２０が設けられている。下地アングル２１は埋込アングル２０に溶接されることによりコンクリートの立ち上がり部１９に固定されている。壁パネル１７は、ボルト２２、アンカー鋼棒２３、イナズマ金物２４より構成される取付ファスナーにより、下地アングル２１に取付固定される。尚、２５はライナー、２６はシーリング材である。
【０００３】
上記の技術と同様の技術は、非特許文献１にも掲載されている。また、躯体コンクリートに壁パネルを取り付ける際に高さを調整できる技術がある（例えば、特許文献１を参照）。また、風圧力が作用しない間仕切壁パネルを躯体コンクリートに取付金物を露出させずに取り付ける技術もある（例えば、特許文献２を参照）。
【非特許文献１】日本建築学会、「建築工事標準仕様書・同解説ＪＡＳＳ２１ＡＬＣパネル工事2005」４２頁「解説図3.3  鉄筋コンクリート造におけるロッキング構法の取付け例」
【０００４】
【特許文献１】特開平１１−１２４９３７
【特許文献２】特開２００５−４８４９２
【発明の開示】
【発明が解決しようとする課題】
【０００５】
建物のスラブコンクリート床上部に壁パネルを取り付ける場合、一般的には図３や非特許文献１のように壁パネルを取り付けるための下地アングル、取付ファスナー等の金物類がパネルの表側、あるいは裏側のどちらかに露出する。
【０００６】
このため、金物類が仕上げ工事の障害となる場合があり、仕上げ表面からなお金物類が突出して見栄えが悪い場合もある。
【０００７】
また、前記壁パネルから金物類が突出していると、身体の一部を引っかけて怪我をする恐れがあるため、さらなる安全性の向上も求められている。
【０００８】
本発明の第１の目的は、壁パネルの表側、裏側のどちら側にも壁パネル取付用の金物類を露出させないことである。
【０００９】
次に、特許文献１の技術は嵩上げ金具の高さが嵩上げ金具の形状で決まり、高さの微調整がしづらいという問題があった。
【００１０】
本発明の第２の目的は、壁パネルの高さ（躯体コンクリートからの離れ寸法）を容易に精度良く調整することである。
【００１１】
また、特許文献１の技術は取付金物の形状が複雑であり、なおかつ部品点数も多いため経済上不利になりやすいという問題があった。
【００１２】
本発明の第３の目的は、取付金物の形状を単純化し、なおかつ部品点数を少なくすることでローコストで経済的な取付工法を提供することである。
【００１３】
さらに、特許文献２では、コンクリート釘を打ち込んだ際、コンクリート部にクラック、欠け等の欠陥が発生しやすいためコンクリート釘の長手方向に直交する方向の力に対する信頼性が低い、コンクリート釘に繰り返し剪断荷重がかかった場合の金属疲労破壊に対する信頼性が不明、コンクリート釘自体の剪断耐力が小さい、等の理由により、このままでは風圧力が作用する外壁パネルには使用し難いという問題があった。また、この技術は躯体コンクリートからの壁パネルの高さの調整が殆どできないという問題もあった。
【００１４】
本発明の第４の目的は、外壁のように風圧力等の大きな水平力が作用する部位にも使用可能な高耐剪断力の取付構造を提供することである。
【００１５】
つまり、本発明の目的は、壁パネルの表側、裏側のどちら側にも壁パネル取付用の金物類を露出させることなく、壁パネルを容易に確実、かつ精度良く、ローコストで、しかも高耐剪断力で、建物の躯体側のコンクリートに取り付けることである。
【課題を解決するための手段】
【００１６】
前記目的を達成するための本発明は次の手段を有する。
【００１７】
（１）
壁パネルをスラブコンクリート床に取り付けてなる建物への壁パネルの取付構造であって、前記壁パネルの小口から前記壁パネルの面内方向に向かって設けられた長孔部に棒状部材が挿入され、前記スラブコンクリート床に対して、鉛直面と水平面を具備するＬ形部を有するＬ形基礎部材が配設され、前記棒状部材と前記Ｌ形基礎部材との間には、ライナーが設置される通し部材が配設されることを特徴とする壁パネルの取付構造。
【００１８】
（２）
前記通し部材は鉛直面と水平面を有するＬ形部を有するＬ形通し部材であり、前記Ｌ形基礎部材の鉛直面と前記Ｌ形通し部材の鉛直面とを固定することで高さを確定することを特徴とする（１）に記載の壁パネルの取付構造。
【００１９】
（３）
前記通し部材は平面形状の板状通し部材であり、前記板状通し部材は、鉛直面と水平面を有するＬ形部を有する台座部材の水平面に固定され、前記Ｌ形基礎部材の鉛直面と前記台座部材の鉛直面とを固定することで高さを確定することを特徴とする（１）に記載の壁パネルの取付構造。
【００２０】
（４）
前記棒状部材の前記壁パネルに挿入されていない側の端部は、前記ライナーを設置する部材の設置面に対して固定される平面形状部を有することを特徴とする（１）乃至（３）のいずれかに記載の壁パネルの取付構造。
【００２１】
（５）
建物への壁パネルの取付方法であって、前記壁パネルの小口から前記壁パネルの面内方向に向かって設けられた長孔部に棒状部材を挿入する段階と、Ｌ形部を有するＬ形基礎部材を、前記スラブコンクリート床の上部に固定する段階と、Ｌ形部を有するＬ形通し部材を、前記Ｌ形基礎部材に固定する段階と、前記Ｌ形通し部材に、ライナーを設置し前記棒状部材を載置する段階と、を有することを特徴とする壁パネルの取付方法。
【００２２】
（６）
建物への壁パネルの取付方法であって、前記壁パネルの小口から前記壁パネルの面内方向に向かって設けられた長孔部に棒状部材を挿入する段階と、Ｌ形部を有するＬ形基礎部材を、前記スラブコンクリート床の上部に固定する段階と、Ｌ形部を有する台座部材を、前記Ｌ形基礎部材に固定する段階と、平面形状部を有する板状通し部材を、前記台座部材に固定する段階と、前記板状通し部材に、ライナーを設置し前記棒状部材を載置する段階と、を有することを特徴とする壁パネルの取付方法。
【発明の効果】
【００２３】
上記構成及び方法によれば、壁パネルの表側、裏側のどちら側にも壁パネル取付用の金物類を露出させない。このため、外観及び内観においていずれも、壁パネルの意匠性を向上させることができる。また、通し部材を用いることで、ライナーを挿入しやすくなり、作業性が向上する。更に、外壁のように風圧力等の大きな水平力が作用する部位にも好適である。また、取付金物（Ｌ形基礎部材、通し部材等）は部品点数の少ない比較的単純な形状のもので構成されているため、経済的である。
【００２４】
したがって、壁パネルの表側、裏側のどちら側にも壁パネル取付用の金物類を露出させることなく、壁パネルを容易に確実、かつ精度良く、しかも高耐剪断力で建物の躯体側のコンクリートに取り付けることができる。
【発明を実施するための最良の形態】
【００２５】
図を用いて本発明の実施形態を具体的に説明する。なお、壁パネルの取付部の構造として、以下の説明においては壁パネルの下部構造のみを例示して説明する。図示しないが、壁パネルの側部や上部のうちの１箇所以上に、壁パネルの面外方向の力に対する何らかの拘束手段を設けることとする。また、本実施形態の取付構造を壁パネルの側面に適用した場合には、もう一方の側部、上部、下部のうちの１箇所以上に、壁パネルの面外方向の力に対する何らかの拘束手段を設けることとする。
【００２６】
〔第１実施形態〕
第１実施形態の構成を、図を用いて説明する。図１は第１実施形態における躯体コンクリートへの壁パネルの取付け説明図であり、（ａ）は下部立断面図、（ｂ）は下部平断面図、（ｃ）は下部内観図である。
【００２７】
図１に示すように、本実施形態の建物への壁パネル下部の取付構造は、壁パネル１とスラブコンクリート床３とを固定する構造である。
【００２８】
壁パネル１には、壁パネル１の下部の小口から面内方向に長孔部２が設けられる。長孔部２には、棒状部材４が、スラブコンクリート床３側に突出させるように挿入される。棒状部材４は、壁パネル１に挿入される棒状部４ａと、棒状部４ａの壁パネル１に挿入されない側の端部に形成される平面形状部４ｂとから構成される。
【００２９】
スラブコンクリート床３には、壁パネル１と対向する部分に後施工アンカー５が埋設され、後施工アンカー５には長ボルト（床上棒状部材）６が壁パネル１側に突出するように螺合固定される。尚、後施工アンカーのタイプとしてはナット部を有するタイプのものとボルト部を有するタイプのものとが有る。本実施形態においては、後施工アンカーはナット部を有するタイプであることを前提として記述しているが、後施工アンカーとしてはボルト部を有するタイプを使用することも有りうる。本実施形態においては、螺合手段として長ボルト６、及びナット１０を使用しているが六角ボルト等を使用しても良い。また、後施工アンカーとしてボルト部を有するタイプを使用する場合には長ボルト６は省略することが出来る。長ボルト６、及びナット１０の周囲には、スラブコンクリート床３と一体的に立ち上がり部９が形成される。立ち上がり部９は後詰めのモルタル等を用いることができ、立ち上がり部９は、壁パネル１の取付け前に形成しても、取付け後に形成してもよい。
【００３０】
また、長ボルト６の壁パネル１側には、ナット１０が螺合しており、Ｌ形基礎部材１４を固定する。Ｌ形基礎部材１４は、直角に折れ曲がって構成されたＬ形部を有する。Ｌ形基礎部材１４は、長ボルト６とナット１０とにその一部が挟持される水平面１４ａと、水平面から鉛直上方に立ち上がる鉛直面１４ｂとを有する。
【００３１】
Ｌ形基礎部材１４の鉛直面１４ｂには、Ｌ形部を有するＬ形通し部材１２を有する。本実施形態で用いられる通し部材１２は、水平面１２ａと、水平面１２ａから下方に向かって鉛直方向に延びる鉛直面１２ｂとが形成される。Ｌ形通し部材１２の水平面１４ａは棒状部材４の平面形状部４ｂと溶接固定され、Ｌ形通し部材１２の鉛直面１２ｂはＬ形基礎部材１４の鉛直面１４ｂと溶接固定される。
【００３２】
壁パネル１と通し部材１２との間には、ライナー１３が設置される。本実施形態においては、Ｌ形通し部材１２の上部平面がライナー１３の設置面となる。ライナー１３を設置することによって、パネル高さ調整の他、パネル下部と通し部材１２との間に隙間を設けられる。このため、地震時等により二点で支持されたパネルがロッキング（回転）する際、パネル下部の角が通し部材１２と接触しパネル角部が欠けるのを防止することができる。このように、通し部材１２とライナー１３を介して設置される壁パネル１のスラブコンクリート床３側への動きが拘束される。尚、図１（ａ）に示すように、壁パネル１と立ち上がり部９との間にはシーリング材１１が設けられる。
【００３３】
次に、壁パネル１の取付方法について説明する。
【００３４】
まず、壁パネル１の小口から壁パネル１の面内方向に向かって設けられた長孔部２に棒状部材４を挿入する。一方、スラブコンクリート床３には、壁パネル１との間に立ち上がり部９が形成される。
【００３５】
次に、スラブコンクリート床３にＬ形基礎部材１４の水平面１４ａが、長ボルト６及びナット１０を用いて固定される。
【００３６】
次に、通し部材１２の鉛直面１２ｂが、スラブコンクリート床３側にレベル調整して配設され、Ｌ形基礎部材１４の鉛直面１４ｂに対して溶接固定される。
【００３７】
次に、図１（ｂ）に示すように、通し部材１２上の所定の位置にライナー１３を設置する。ライナー１３の位置は、本実施形態のようにパネル幅の中央部付近の１箇所、あるいは壁パネル１のパネル幅方向の両側端部に近い２箇所が好ましい。尚、ここで、Ｌ形通し部材１２に、棒状部材４を載置した後、Ｌ形通し部材１２に、ライナー１３を設置するという順番でもよい。
【００３８】
次に、棒状部材４を取り付けた壁パネル１をライナー１３上に設置し、壁パネル１の水平方向位置が決まった段階で、平面形状部４ｂを通し部材１２に溶接固定する。尚、ライナー１３を通し部材１２上に設置しない場合は、平面形状部４ｂと壁パネル１との間にライナー１３を挿入することとしてもよい。
【００３９】
以上のように、本実施形態においては、Ｌ形通し部材１２がスラブコンクリート床３に配設されたＬ形基礎部材１４に固定される。この場合、Ｌ形通し部材１２を上下方向の任意の所望の位置に容易に精度よく固定することができる。
【００４０】
本実施形態においては、通し部材１２を設けるため、棒状部材４に水平方向の位置の誤差（位置ずれ）が有ったとしても、平面形状部４ｂを通し部材１２の水平面１２ａに確実に溶接固定することができる。
【００４１】
また、本実施形態においては、壁パネル１と通し部材１２との間の広いスペースにライナー１３を設置するため、作業性が良い。
【００４２】
また、本実施形態において高さを微調整する際、通し部材１２と壁パネル１との間の任意の位置に直接バール等を挿入し壁パネル１を浮かせることができ、高さ微調整用の重ねライナー１３を容易に挿入することができて作業効率が良い。
【００４３】
また、本実施形態の構成においては、ライナー１３は、パネル１取り付けに先んじて通し部材１２上に設置していたが、これに限るものではない。例えば、ライナー１３をパネル１下部に釘、ボンド等で予め取り付けておいたパネル１をライナー１３、並びに平面形状部４ｂ及びライナー１３を介して通し部材１２上に設置してもよい。
【００４４】
〔第２実施形態〕
第２実施形態の構成を、図を用いて説明する。図２は第２実施形態における躯体コンクリートへの壁パネルの取付け説明図であり、（ａ）は下部立断面図、（ｂ）は下部平断面図、（ｃ）は下部内観図である。
【００４５】
前述の実施形態の構成においては、通し部材１２の形状はＬ形状のものを使用したが、これに限るものではない。本実施形態においては、図２に示すように、例えばフラットバーのような平面形状の板状通し部材１５でもよい。
【００４６】
板状通し部材１５を用いる場合、板状通し部材１５とＬ形基礎部材１４との間に、直角に折れ曲がって構成されたＬ形部を有する台座部材７を介在させて固定してもよい。ここで、台座部材７は、水平面７ａと鉛直面７ｂとを有する。尚、本実施形態においては、板状通し部材１５の上部平面がライナー１３の設置面となる。
【００４７】
このような構成により、台座部材７の水平面７ａの上面は、板状通し部材１５の下面と溶接固定される。また、台座部材７の鉛直面７ｂは、Ｌ形基礎部材１４の鉛直面１４ｂと溶接固定される。なお、台座部材７の鉛直面７ｂと、Ｌ形基礎部材１４の鉛直面１４ｂに穴あけしておけば、ボルト及びナットによる固定、また、溶接固定と併用することも可能である。
【００４８】
上記構成による、壁パネル１の取付方法を説明する。
【００４９】
まず、壁パネル１の小口から壁パネル１の面内方向に向かって設けられた長孔部２に棒状部材４を挿入する。次に、Ｌ形部を有するＬ形基礎部材１４を、スラブコンクリート床３の上部に固定する。そして、Ｌ形部を有する台座部材７を、Ｌ形基礎部材１４に溶接固定する。そして、板状通し部材１５を、台座部材７に固定する。板状通し部材１５に、ライナー１３を設置した後、板状通し部材１５に、壁パネル１と一体となった棒状部材４の平面形状部４ｂを溶接固定する。尚、ここで、板状通し部材１５に、棒状部材４を載置した後、板状通し部材１５に、ライナー１３を設置するという順番でもよい。
【００５０】
〔他の実施形態〕
前述の各実施形態は必ずしも独立したものではない。即ち、第１実施形態のＬ形基礎部材１４に第２実施形態の台座部材７を固定し、台座部材７に第２実施形態の板状通し部材１５を固定してもよい。また、第２実施形態の板状通し部材１５を、Ｌ形通し部材１２としてもよい。
【産業上の利用可能性】
【００５１】
本発明はＲＣ造、ＳＲＣ造以外のコンクリート躯体、例えばＳ造の建物のスラブコンクリート部分にも応用することができる。
【図面の簡単な説明】
【００５２】
【図１】第１実施形態における躯体コンクリートへの壁パネルの取付け説明図。
【図２】第２実施形態における躯体コンクリートへの壁パネルの取付け説明図。
【図３】従来例に係る壁パネルの下部と躯体との接続部を示す図。
【符号の説明】
【００５３】
１…壁パネル、２…長孔部、３…スラブコンクリート床、４…棒状部材、４ａ…棒状部、４ｂ…平面形状部、５…後施工アンカー、６…長ボルト、７…台座部材、７ａ…水平面、７ｂ…鉛直面、９…立ち上がり部、１０…ナット、１１…シーリング材、１２…Ｌ形通し部材、１２ａ…水平面、１２ｂ…鉛直面、１３…ライナー、１４…Ｌ形基礎部材、１４ａ…水平面、１４ｂ…鉛直面、１５…板状通し部材、１７…壁パネル、１８…スラブコンクリート床、１９…立ち上がり部、２０…埋込アングル、２１…下地アングル、２２…ボルト、２３…アンカー鋼棒、２４…イナズマ金物、２５…ライナー、２６…シーリング材
【図１】
0005095424.tif 000002
【図２】
0005095424.tif 000003
【図３】
0005095424.tif 000004